(57)【要約】【課題】  ガスケットの倒れ及び取付溝からはみ出しての噛み込みの防止を図ったガスケットを提供する。【解決手段】  密封対象面側Ｍに真直ぐ突出するシール部２と、シール部２の隣で取付溝３２ａの溝側壁３２ａ３の外側へ向けて突出するリブ３と、を備えることで、斜め組付けの際にもリブ３が面取り部３２ａ１にぶつかり、面取り部３２ａ１にリブ３が支持されてそれ以上ガスケット１が倒れることを防止する。また、斜め組付けの最後に、リブ３が取付溝３２ａ内へ押し戻され、リブ３の取付溝３２ａからはみ出しての噛み込みも生じない。【選択図】  図１ 
2005083546.tif 000002
【特許請求の範囲】
【請求項１】
密封対象面に対向し、かつ、縁に面取り部を有する取付溝に取り付けられると共に、前記密封対象面と前記取付溝とが対向方向に対して斜め向きに接近して組み付けられることにより圧縮されてシールを行うガスケットであって、
前記密封対象面側に真直ぐ突出するシール部と、
前記シール部の隣で前記取付溝の溝側壁の外側へ前記面取り部の幅範囲内で突出すると共に前記面取り部と対向する側面を前記面取り部に沿わせたリブと、
を備えたことを特徴とするガスケット。
【請求項２】
前記取付溝の溝底に接触する前記溝底と平行にフラットな底面部を備えたことを特徴とする請求項１に記載のガスケット。
【請求項３】
前記シール部と前記リブとの間で凹みを形成する凹部と、
前記底面部とガスケット側面部との間を斜めに接続するテーパ面部と、
を備えたことを特徴とする請求項２に記載のガスケット。
【請求項４】
前記シール部は、断面Ｒ形状であることを特徴とする請求項３に記載のガスケット。
【発明の詳細な説明】
【技術分野】
【０００１】
本発明は、ガスケットに関するものである。
【背景技術】
【０００２】
例えば自動車のインテークマニホールド（以下インマニ）に用いられるガスケットは、インマニ（溝側）とシリンダーブロック（蓋側）とで上下方向で圧縮され、漏れ防止し、外部からのエアーなどの吸い込みを防ぐ目的で使用される。
【０００３】
このため、インマニとシリンダーブロック間にその断面が、凸状、菱形状、楕円状又は凸凹の組み合わせなどの形状を有するゴム状弾性材で構成されるガスケットが使用されている。
【０００４】
この際、インマニが樹脂製で成形されていれば、樹脂のうねり、強度、平面度、クリープなどによるガスケットの圧縮方向のバラツキが生じる。このため、ガスケットは、バラツキを吸収し、シール機能を満足する必要がある。
【０００５】
また、インマニの省スペース化の問題もあり、ガスケットを取り付ける取付溝の溝断面は溝幅よりも溝深さが深くなる縦長断面となるのが一般的である。このため、当然ながらガスケットについては、取付溝の溝断面よりもさらに縦長断面となる。
【０００６】
このようなガスケットの場合には、複数の箇所に倒れ防止用の凸部などを設けることで、ガスケットの倒れを防止して密封性を維持していた（特許文献１参照）。
【０００７】
特許文献１には、図４に示すように、ガスケット断面の装着溝の溝幅方向の側面に倒れ防止の凸部１０２が設けられているガスケット１０１が示されている。
【特許文献１】特許３３１０５４７号公報
【発明の開示】
【発明が解決しようとする課題】
【０００８】
ここで、新たなユーザー要求として、インマニとカムカバーとを一体化させることが考えられており、この場合にインマニのシリンダーブロックへの組み付け方向を上下組付けから斜め組付けへ変更する必要性が生じてきた。
【０００９】
斜め組付けを行う際には、当然ながらインマニをシリンダーブロックに斜めに滑らせて組み付けるが、この際ガスケットは縦長断面のため、倒れ、取付溝からはみ出しての噛み込みなどの不具合が発生する。
【００１０】
ガスケットの倒れが生じると、面圧不足、つぶし代不足となり、シール不良となる。ガスケットの取付溝からはみ出しての噛み込みが生じると、ガスケットの切れ、つぶし代不足となり、シール不良となる。
【００１１】
このような現象は、図４に示す倒れ防止の凸部１０２を有するガスケット１０１でも、図５に示すように、倒れが生じる。
【００１２】
本発明は上記従来技術に鑑みてなされたもので、その目的とするところは、ガスケットの倒れ及び取付溝からはみ出しての噛み込みの防止を図ったガスケットを提供することにある。
【課題を解決するための手段】
【００１３】
上記目的を達成するために本発明にあっては、密封対象面に対向し、かつ、縁に面取り部を有する取付溝に取り付けられると共に、前記密封対象面と前記取付溝とが対向方向に対して斜め向きに接近して組み付けられることにより圧縮されてシールを行うガスケットであって、前記密封対象面側に真直ぐ突出するシール部と、前記シール部の隣で前記取付溝の溝側壁の外側へ前記面取り部の幅範囲内で突出すると共に前記面取り部と対向する側面を前記面取り部に沿わせたリブと、を備えたことを特徴とする。
【００１４】
密封対象面と取付溝とが対向方向に対して斜め向きに接近して組み付けられる斜め組付けの際に、ガスケットが密封対象面に接触するとその接触部分が滑る。その時の摩擦力でガスケットが倒れようとするが、リブが取付溝の縁の面取り部にぶつかり、面取り部にリブが支持されてそれ以上ガスケットが倒れることを防止する。そして、組付け終了時に、シール部から圧縮されるに従ってリブの面取り部と対向して面取り部に沿わせた側面と面取り部との間で滑りが生じ、リブが取付溝内へ押し戻され、ガスケットの姿勢が立て直されてガスケットがしっかり取付溝に収められる。ここで、リブが面取り部の幅範囲内で突出しているだけであるので、リブの面取り部と対向して面取り部に沿わせた側面と面取り部との間での滑りがリブの全てで行われ、リブの取付溝からはみ出しての噛み込みも生じない。
【００１５】
前記取付溝の溝底に接触する前記溝底と平行にフラットな底面部を備えたことが好適である。
【００１６】
これによると、フラットな底面部が取付溝の溝底にしっかりと接触し、ガスケットを倒れ難くすることができる。
【００１７】
前記シール部と前記リブとの間で凹みを形成する凹部と、前記底面部とガスケット側面部との間を斜めに接続するテーパ面部と、を備えたことが好適である。
【００１８】
これによると、凹部の空間や取付溝とテーパ面部との間に形成された空間にガスケットを圧縮することができ、充填率を確保することができる。
【００１９】
前記シール部は、断面Ｒ形状であることが好適である。
【００２０】
これによると、面圧確保ができると共に、ガスケットに多少のねじれが生じてもシール面を均一化させることができる。
【発明の効果】
【００２１】
本発明は、斜め組付けの際にもリブが取付溝の縁の面取り部にぶつかり、面取り部にリブが支持されてそれ以上ガスケットが倒れることを防止する。また、斜め組付けの最後に、リブが取付溝内へ押し戻され、リブの取付溝からはみ出しての噛み込みも生じない。
【発明を実施するための最良の形態】
【００２２】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２３】
図１〜図３を参照して、本発明の実施の形態に係るガスケットについて説明する。図１は本発明の実施の形態に係るガスケットを示す断面図である。図２は本発明の実施の形態
に係るガスケットの組付け時の変形経過を示す断面図である。図３は本発明の実施の形態に係るガスケットを用いるインテークマニホールドの要部を示す図である。
【００２４】
本実施の形態は、インテークマニホールド（以下、インマニ）とカムカバーとを一体化させ、インマニのシリンダーブロックへの組み付け方向を上下圧縮ではなく斜め圧縮とした場合である。
【００２５】
具体的には、図３に示すように、カムカバー３１の側方の斜め下側にインマニ３２が一体化されて構成される。そして、シリンダーブロック３３に対してカムカバー３１が矢印Ｐのように上下方向に組み付けられる。この際、インマニ３２はシリンダーブロック３３に対する対向面を斜め方向に傾けているために、カムカバー３１と伴にインマニ３２も組み付けられると、インマニ３２は傾いた対向面を垂直に組み付けることができず、斜めに滑りながら組み付けられる（斜め組付けという）。
【００２６】
本実施の形態に係るガスケット１は、上記の斜め組付けの場合に適用され、インマニ３２の取付溝３２ａに取り付けられる。
【００２７】
ガスケット１は、環状のゴム状弾性材製である。ゴム状弾性材の中でも使用環境に応じてシリコンゴム、フッ素ゴム又は水素添加ニトリルゴムにて構成されることが好ましい。
【００２８】
図１には、ガスケット１の断面が示されている。ガスケット１は、シリンダーブロック３３の密封対象面に対向するインマニ３２の取付溝３２ａに取り付けられる。この取付溝３２ａは、縁を面取りした面取り部３２ａ１を有する。
【００２９】
ガスケット１は、概略、シール部２と、リブ３と、底面部４と、凹部５と、テーパ面部６と、を備える。
【００３０】
シール部２は、取付溝３２ａ内に取り付けられた際に溝底３２ａ２から垂直に密封対象面側Ｍに真直ぐ突出する。このシール部２は、断面Ｒ形状である。
【００３１】
リブ３は、シール部２の隣で取付溝３２ａの溝側壁３２ａ３の外側へ向かって突出する。
【００３２】
特に、リブ３は、溝側壁３２ａ３の外側へ面取り部３２ａ１の幅範囲内で突出する。すなわち、リブ３の突出長さは、取付溝３２ａの中心とガスケット１の中心とを図１のように合わせた際に、溝側壁３２ａ３からは突出するが、面取り部３２ａ１のシリンダーブロック対向面３２ｂとの端縁Ｅまでは至らなく小さい。
【００３３】
このリブ３の面取り部３２ａ１に対向する側面は、面取り部３２ａ１に沿っており、面取り部３２ａ１と略同方向に延びている。
【００３４】
また、リブ３は、ガスケット１の反転装着も可能なようにシール部２の両側にそれぞれ対象に形成されている。
【００３５】
底面部４は、取付溝３２ａの溝底３２ａ２に接触する、溝底３２ａ２と平行にフラットな平面である。
【００３６】
凹部５は、シール部２とリブ３との間で凹みを形成する。このため、シール部２とリブ３とが凹部５を基準に突出するため、本実施の形態のガスケット１では、取付溝３２ａからシール部２と２つのリブ３とが３方に分かれて突出する。
【００３７】
テーパ面部６は、底面部４とガスケット側面部７との間を、ガスケット側面部７側よりも底面部４側のガスケット断面幅を縮めるように斜めに接続する。テーパ面部６があることにより、取付溝３２ａとテーパ面部６との間には断面三角形状の空間Ｓが形成される。
【００３８】
次に、ガスケット１の斜め組付け時の挙動について図２を用いて説明する。図２は、図３に従いインマニ３２が斜め組付けされる場合の取付溝３２ａ周辺を拡大して示している。
【００３９】
まず、ガスケット１がインマニ３２の取付溝３２ａに取り付けられる。次に、カムカバーをシリンダーブロックに上下方向に組み付ける。この時、図２（ａ）に示すように、取付溝３２ａを有するインマニ３２では傾いた対向面が斜めに組み付けされる。
【００４０】
そして、インマニ３２がシリンダーブロック３３に接近すると、ガスケット１のシール部２側がシリンダーブロック３３に接触する。この時、インマニ３２の対向面がシリンダーブロック３３に対して斜めに滑るようにして接近して行く。すると、図２（ｂ）に示すように、シリンダーブロック３３と接触したシール部２によるガスケット１との摩擦力で、ガスケット１が引きずられ、ガスケット１が倒れようとする。
【００４１】
しかし、ガスケット１がさらに倒れようとすると、図２（ｂ）に示すように、図示上側のリブ３が取付溝３２ａの縁の面取り部３２ａ１にぶつかり、面取り部３２ａ１にリブ３が支持されて、それ以上ガスケット１が倒れることを防止する。
【００４２】
そして、インマニ３２の組付け終了時に、図２（ｃ）に示すように、接近するシリンダーブロック３３によってシール部２側から圧縮されるに従って、凹部５側のリブ３の側面がシリンダーブロック３３で圧縮されることにより、リブ３の面取り部３２ａ１側（面取り部３２ａ１と対向した）の面取り部３２ａ１に沿わせた側面と面取り部３２ａ１との間で滑りが生じ、リブ３が開放された取付溝３２ａ内へ押し戻され、ガスケット１の姿勢が立て直される。
【００４３】
その後、インマニ３２とシリンダーブロック３３とがしっかりと組み付けられると、ガスケット１もしっかり取付溝３２ａ内に収められる。
【００４４】
ここで、ガスケット１は、図１に示すように、リブ３が面取り部３２ａ１の幅範囲内で溝側壁３２ａ３から突出しているだけであるので、リブ３の面取り部３２ａ１側の側面と面取り部３２ａ１との間での滑りはリブ３全体において行われ、リブ３全体が取付溝３２ａ内に収められ、リブ３の取付溝３２ａからはみ出しての噛み込みも生じない。
【００４５】
ここで、図２（ａ）〜（ｃ）の全状態において、底面部４が溝底３２ａ２と平行にフラットであることで、フラットな底面部４が取付溝３２ａの溝底３２ａ２にしっかりと接触し、ガスケット１を倒れ難くすることができる。
【００４６】
また、ガスケット１が凹部５とテーパ面部６とを備えたことで、凹部５内の空間や取付溝３２ａとテーパ面部６との間に形成された断面三角形状の空間Ｓにガスケット１を圧縮することができ、図２（ｃ）の状態まで圧縮して充填率を確保することができる。
【００４７】
さらに、シール部２は、断面Ｒ形状であるので、図２（ｂ），（ｃ）のガスケット１の圧縮状態で面圧確保ができると共に、ガスケット１に多少のねじれが生じてもシール面を均一化させることができる。
【００４８】
なお、上記実施の形態では、インマニ３２における取付溝３２ａに取り付けられるガスケット１について説明したが、これ以外にも自動車業界、補機メーカ、一般産業及び家電機器などにおいて上記と同様に斜め組付けの場合にその効果を発揮することができる。
【産業上の利用可能性】
【００４９】
自動車業界、補機メーカ、一般産業及び家電機器などにおいて、斜め組付けするガスケットに適用できる。
【図面の簡単な説明】
【００５０】
【図１】本発明の実施の形態に係るガスケットを示す断面図である。
【図２】本発明の実施の形態に係るガスケットの斜め組付け時の変形経過を示す断面図である。
【図３】本発明の実施の形態に係るガスケットを用いるインテークマニホールドの要部を示す斜視図である。
【図４】従来技術のガスケットを示す断面図である。
【図５】従来技術のガスケットの斜め組付け時の変形状態を示す断面図である。
【符号の説明】
【００５１】
１  ガスケット
２  シール部
３  リブ
４  底面部
５  凹部
６  テーパ面部
７  ガスケット側面部
３１  カムカバー
３２  インマニ
３２ｂ  シリンダーブロック対向面
３２ａ  取付溝
３２ａ１  面取り部
３２ａ２  溝底
３２ａ３  溝側壁
３３  シリンダーブロック
【図１】
2005083546.tif 000003
【図２】
2005083546.tif 000004
【図３】
2005083546.tif 000005
【図４】
2005083546.tif 000006
【図５】
2005083546.tif 000007